(57)【要約】【課題】  工事の段取りが容易で、作業の邪魔にならず、事後の補修作業の必要性をなくすことができる手摺り類のための型枠位置矯正装置を提供する。【解決手段】  建築物の手摺り類を構築するために、型枠の位置を矯正するについて、建築物１１の外側に手摺り類１０とほぼ平行に、建築物１１に取り付けた支持体１３を用いて支柱２１を立て、手摺り類１０に向けて押し引き具３１の一端を支柱２１に取り付けるとともに、手摺り類１０の構築のために建築物１１に設置した型枠２５、２６に、上記押し引き具３１の他端を取り付け、押し引き具３１の一端を支柱２１に取り付ける位置の調節により型枠２５、２６の位置を規定する。【選択図】          図１
0003102393.tif 000002
【実用新案登録請求の範囲】
【請求項１】
建築物の手摺り類を構築するために、型枠の位置を矯正するための装置であって、建築物の外側に手摺り類とほぼ平行して、建築物に取り付けた支持体を用いて支柱を立て、手摺り類に向けて押し引き具の一端を支柱に取り付けるとともに、手摺り類の構築のために建築物に設置した型枠に、上記押し引き具の他端を取り付け、押し引き具の一端を支柱に取り付ける位置の調節により型枠の位置を規定するようにした手摺り類のための型枠位置矯正装置。
【請求項２】
支柱は、型枠側にチャンネルのある型材を使用し、そのチャンネル部を用いて、建築物に取り付けた支持体との結合を行うようにした請求項１記載の手摺り類のための型枠位置矯正装置。
【請求項３】
押し引き具の一端は、支柱のチャンネル部に係合した構成を有し、押し引き具の他端は、型枠側に設けられているパイプに楔状ストッパーを有する取り付け部材を用いて着脱可能に設けられている請求項２記載の手摺り類のための型枠位置矯正装置。
【請求項４】
押し引き具の一端は、支柱に嵌め合わされた枠体に雌ねじ部にて螺合され長さ位置可能とされている請求項１記載の手摺り類のための型枠位置矯正装置。
【考案の詳細な説明】
【技術分野】
【０００１】
本考案は、建築物の手摺り類を構築するために、型枠の位置を矯正する手摺り類のための型枠位置矯正装置に関するものである。
【背景技術】
【０００２】
例えば建築物のバルコニーや廊下等に施工する手摺りにおいて、その手摺りとなる上端の線は一直線状など所定の形態に仕上がっていること、いわゆるとおりの出ていることが要求され、またその仕上がり具合によって建築物の仕上がり具合が判断される材料にもなる重要な要素である。そのために、従来は設置した型枠が一列に並ぶように、コンクリート打設前に型枠の位置を微調整することが行われた。
【０００３】
その１例は特開平４−６８１６２号に従来例として示されているように、サポートと称される部材を用いて型枠を建築物内方へ引っ張る方式である。しかしこの方式では床型枠に穴を明けて下から固定するので手間がかかり、作業中サポートが一定間隔置きに何本も並ぶためコンクリート打設作業の邪魔になり、しかも施工後サポートを撤去すると床面にその跡が残るための補修作業が必要となるという問題があった。
【０００４】
【特許文献１】特開平４−６８１６２号
【考案の開示】
【考案が解決しようとする課題】
【０００５】
本考案は前記の点に着目してなされたもので、その課題は、工事の段取りが容易で、作業の邪魔にならず、事後の補修作業の必要性をなくすことである。
【課題を解決するための手段】
【０００６】
前記の課題を解決するため、本考案は、建築物の手摺り類を構築するために、型枠の位置を矯正するについて、建築物の外側に手摺り類とほぼ平行して、建築物に取り付けた支持体を用いて支柱を立て、手摺り類に向けて押し引き具の一端を支柱に取り付けるとともに、手摺り類の構築のために建築物に設置した型枠に、上記押し引き具の他端を取り付
け、押し引き具の一端を支柱に取り付ける位置の調節により型枠の位置を規定するという手段を講じたものである。
【０００７】
本考案の対象である手摺り類は、建築物のバルコニーや廊下等に設けられる。またこの手摺り類は、コンクリート打設によって構築されるタイプのものであり、そのために型枠を使用する。従って、その型枠を正確に設置することによって、手摺りのとおりを出すことが可能となる。
【０００８】
このため本考案では、建築物の外側に手摺り類とほぼ平行に支持体を取り付け、その支持体に支柱を取り付ける。ここで建築物とは、施工中の建築物のみならず、建築物を施工するために据え付けられている建築物と一体化している構築物や部材をも含んでいる。
【０００９】
支柱には、手摺り類に向けて押し引き具の一端を取り付け、押し引き具の他端を、建築物に設置した型枠に取り付ける。押し引き具は、伸縮により調節可能であり、押し引き具を伸張させると型枠を押し離して、それによって支柱を基準として支柱との間隔を広げることができ、また押し引き具を収縮させると型枠を引き寄せて、間隔を狭ばめることができる。
【００１０】
支柱には様々ものを使用することが可能であるが、型枠側にチャンネルのある型材を使用すると、押し引き具の一端を取り付けるためにチャンネルを利用することができる。押し引き具の他端を取り付けるための取り付け具は、一定の構造でなければならないものではないが、型枠側との着脱が容易で偶然に外れにくいものであれば良い。１例としては、型枠の側のパイプに取り付けるもの、が適当であり、型枠を変形させないで済む。しかし押し引き具の一端を、チャンネルに取り付けなければならない訳ではなく、別の部材を併用しても良い（図４、図５参照）。
【考案の効果】
【００１１】
本考案は以上の如く構成されかつ作用するものであるから、床型枠に穴を明ける必要がなく、支柱と型枠を押し引き具で結合すれば良いので施工前の段取りが容易であり、建築物側に設置物がないので作業の邪魔になるものがなく、施工後支柱等を撤去したのちに床面に跡が残ることもないから補修の必要もない等、顕著な効果を奏する。
【考案を実施するための最良の形態】
【００１２】
以下図示の実施形態を参照して本考案をより詳細に説明する。図１において、１１は建築物の一部である躯体、１２はそれと一体の躯体下部噴出防止コンクリートから成るベランダであり、それらの下に支持体１３として公知の角材１４と補強金物１５が取り付けられていて、支持体１３は、階下の既設建築物に取り付けた下部支持体１６、１７によって支持されている。
【００１３】
補強金物１５は、角材１４に釘打ちなどの手段によって取り付けられる水平部分とその先端から上方に立ち上がる垂直部分とから成るほぼＬ字状に形成され、その垂直部分の外側に、ボルト、ナットなどの止め具１８を使用して支柱２１が取り付けられている。支柱２１は、図４に示すように型枠側にチャンネル２２を有する金属製型材によって形成されている。例示の場合、アルミニウムを材料とする押し出し型材から成り、チャンネル２２の反対側にはより大きな横断面を有する凹部２３が設けてあり、そこに、角材２４を嵌め込めるようになっている。チャンネル２２はほぼＣ字型の横断面形状を有しており、チャンネル内に挿入した駒を係合させたまま溝に沿ってスライドさせることができ、かつ必要箇所にてねじ止め可能になっている。
【００１４】
躯体下部にはコンクリートから成るベランダ１２が設けられており、その先端部分に手摺り類１０を設ける一対の型枠２５，２６が据え付けられる。型枠２５，２６は、フォームタイ２７によって一定の間隔にて結合され、かつパイプ２８によって強固に据え付けられている。一対の型枠２５、２６は、その間の空間２９にコンクリートを打設するための部材であり、例えば同一階の左右に隣り合うベランダの全ての手摺りが一直状になることが要求される。
【００１５】
そのため本発明では、支柱２１と型枠２５、２６を押し引き具３１を用いて結合し、型枠２１の位置を調節することができるようにする。図２は図１の拡大図に相当し、本考案による例１を示すもので、例示の押し引き具３１は、ボルト軸３２の一端に、チャンネル２２の中に係合可能かつ上下移動可能な係合部３３を有し、また係合部３３との間でチャンネル２２の口縁を挟み込む挟持部３４を軸端側に有している。例示の係合部３３は、挟持部３４の先端に取り付けた雌ねじ部と螺合するボルト状のもので、チャンネル２２のスリットから中に挿入できる狭幅部を有し、また挿入後チャンネル２２の口縁と係合可能な広幅部を有している（図３参照）。３６は挟持部操作部、３７はボルト軸操作部であり、操作用の棒を差し込んで或いはスパナ類の契合により操作する。
【００１６】
押し引き具３１の他端は型枠２５への取り付け部である。例示の場合、ボルト軸３２の他端に、雌ねじ部３８を有する可動子３９が取り付けられており、可動子３９には、型枠２５に強固に取り付けられている、パイプ２８に対する取付部材５１が設けられている。例示の取り付け部材５１は、パイプ２８が収まるほぼコ字型のもので、その開放端に、楔状ストッパー５２を抜き差し可能に取り付け、パイプ２８への着脱の容易性と、パイプ２８からの離脱防止を図っている。
【００１７】
図４、図５は本考案の例２を示しており、押し引き具４１の取り付けにチャンネル２２を使用せず、別の雌ねじ部４２を併用している例である。押し引き具４１は、支柱２１に嵌め合わせられる枠体４３に止め具４４を設けたもので、止め具４４は、例１のものと同様の係合部４５と、チャンネル２２を挟み込む挟持部４６を有している。故に、例２のものも例１と同様に支柱２１のチャンネル２２部に係合可能かつ上下に移動可能である。
【００１８】
例２の枠体４３とボルト軸３２とは雌ねじ部４２にて螺合させてあり、それによって押し引き具４１としての長さ調節機能を発揮する。ボルト軸先端には停止部４７が設けてあり、他端部には可動子４８が設けられている。可動子４８を型枠側のパイプ２８に取り付けるための構成は例１の場合と同様で良く、コ字型の取り付け部材５１を用い、その開放端に、楔状ストッパー５２を抜き差しする構成として示してある。
【００１９】
このような構成を有する本考案の装置では、角材１４に取り付けた補強金物１５を利用して支柱２８を立て、支柱上部に押し引き具３１を取り付け、型枠２５と結合する。この時点までは躯体下部噴出コンクリートは打設されていてもいなくても良いが、打設されていない場合には、この段階で躯体下部噴出コンクリートを打設し、コンクリート重量により補強金物１５の下部を安定させるようにし、その後に押し引き具３１を操作し、型枠２５、２６の位置を規定することにより、手摺り型枠２５、２６の建て込み精度を高めるものである。
【図面の簡単な説明】
【００２０】
【図１】本考案に係る手摺り類のための型枠位置矯正装置の例１を示す全体的な断面説明図。
【図２】同上要部の拡大説明図。
【図３】さらに要部を拡大した説明図。
【図４】本考案の例２を示す横断面説明図。
【図５】同じく側面から見た説明図。
【符号の説明】
【００２１】
１０  手摺り類
１３  支持体
２１  支柱
２２  チャンネル
２５、２６  型枠
２８  パイプ
３１、４１  押し引き具
３２  ボルト軸
３３、４５  係合部
３４、４６  挟持部
３５、３８、４２  雌ねじ部
３９、４８  可動子
５１  取り付け部材
５２  楔状ストッパー
【図１】
0003102393.tif 000003
【図２】
0003102393.tif 000004
【図３】
0003102393.tif 000005
【図４】
0003102393.tif 000006
【図５】
0003102393.tif 000007